(57)【特許請求の範囲】
【請求項１】
予め実測図の作成に必要なマーキングを石器に施すとともに、単色面上の石器とスケールを、撮像位置を固定したビデオ用カメラにより撮像し、撮像した画像データをコンピュータに取り込むとともに、ディスプレイに表示されたスケールから石器の寸法を計測するための基準長さデータを設定し、かつ前記単色面と同色のデータを除去し又は前記単色面と石器の境界を識別することにより石器の画像データのみを抽出して基礎データを得、この基礎データと前記基準長さデータから石器の寸法を計測するとともに、前記基礎データを処理することにより石器データを作成することを特徴とする石器のデータ作成方法。
【請求項２】
前記基礎データには、石器の異なる面を撮像した複数の基礎データを含むとともに、前記処理には、当該複数の基礎データをレイアウトするレイアウト処理及びサイズの変更を行うサイズ変更処理を含むことを特徴とする請求項１記載の石器のデータ作成方法。
【発明の詳細な説明】
【０００１】
【発明の属する技術分野】
本発明は、石器データを得るための石器のデータ作成方法に関する。
【０００２】
【従来技術及び課題】
一般に、発掘調査では、発掘出土品に係わる発掘出土品データを作成し、専門的に整理することにより学術的資料にまとめている。ところで、石器の場合、石器データには、写真や寸法をはじめ、製作技法に係わるデータも含まれる。即ち、石器は、時代や地域（文化）によって剥離具で石を加撃する際の技術が異なり、この結果、石器に現れる剥離様相も異なるため、その技術構造（製作技法）も重要な石器データとなる。
【０００３】
従来、このような石器データの作成作業は、極めて専門的な知識とノウハウを伴うため、主に定規を用いた手計測と写真を利用し、限られた専門家によって、いわば手作業により作成を行っていた。しかし、従来の作成方法は、作成作業にかなりの時間を要し、効率的な作成作業を行うにも限界があること、作成する際の正確性に欠け、作成品質を確保することが容易でないこと、データの多様性及び発展性に欠けることなどの問題があった。
【０００４】
本発明は、このような従来技術に存在する課題を解決したものであり、石器データを作成する際における作成作業の飛躍的な効率化を図るとともに、作成する際の正確性、さらには高い作成品質を確保し、加えて、データの多様性及び発展性を高めることができる石器のデータ作成方法を提供することを目的とする。
【０００５】
【課題を解決するための手段及び実施の形態】
本発明に係る石器のデータ作成方法は、予め実測図の作成に必要なマーキング７…を石器Ａに施すとともに、単色面３上の石器Ａとスケール４を、撮像位置を固定したビデオ用カメラ２により撮像し、撮像した画像データをコンピュータ５に取り込むとともに、ディスプレイ６に表示されたスケール４から石器Ａの寸法を計測するための基準長さデータを設定し、かつ単色面３と同色のデータを除去し又は単色面３と石器Ａの境界Ｓを識別することにより石器Ａの画像データのみを抽出して基礎データＤａ…を得、この基礎データＤａ…と基準長さデータから石器Ａの寸法を計測するとともに、基礎データＤａ…を処理することにより石器データを作成するようにしたことを特徴とする。
【０００６】
この場合、好適な実施の態様により、基礎データＤａ…には、石器Ａの異なる面を撮像した複数の基礎データＤａ，Ｄｂ，Ｄｃを含むとともに、基礎データＤａ…の処理には、複数の基礎データＤａ，Ｄｂ，Ｄｃをレイアウトするレイアウト処理及びサイズの変更を行うサイズ変更処理を含む。
【０００７】
【実施例】
次に、本発明に係る好適な実施例を挙げ、図面に基づき詳細に説明する。
【０００８】
まず、本実施例に係る石器のデータ作成方法を実施できるデータ作成システム１の構成について、図２を参照して説明する。
【０００９】
図２中、２は撮像位置を固定したビデオ用カメラである。このビデオ用カメラ２としては、画像信号をデジタル信号で出力するデジタルカメラ（静止画撮像カメラ）又はビデオカメラ（動画撮像カメラ）等を使用できる。また、３は全面青色の単色面であり、ビデオ用カメラ２から一定距離だけ離間する。この場合、具体的な構成としては、例えば、上面及び側面を青色にしたテーブルＴ（図６参照）に、ビデオ用カメラ２を支持するスタンドを取付け、かつテーブルＴ上に、青色の衝立Ｍを立てればよい。これにより、スタンドを起立させれば、ビデオ用カメラ２をテーブルＴの上方にセッティングできるため、図２のように、上方（真上）から単色面３上の石器Ａ（石器）又はスケール４を撮像できるとともに、他方、スタンドを倒せば、ビデオ用カメラ２をテーブルＴの横方にセッティングできるため、図６に示すように、横方（水平方向）から単色面３上の石器Ａ又は鉛直方向に立てたスケール４を撮像できる。
【００１０】
一方、１０は、コンピュータシステムであり、コンピュータ５を備えるとともに、このコンピュータ５に接続した画像表示用のディスプレイ６，操作用のキーボード１１及びプリントアウト用のプリンタ１２を備える。そして、コンピュータ５には、本実施例に係るデータ作成方法を実行する作成処理プログラムＰが格納（インストール）されている。
【００１１】
次に、このようなデータ作成システム１を用いた本実施例に係る石器データの作成方法について、図２〜図７を参照しつつ図１に示すフローチャートに従って説明する。
【００１２】
まず、図４に示すように、石器Ａには、予め、実測図の作成に必要なマーキング７…を施す（ステップＳｆ）。マーキング７…の施し方は、石器Ａの表面に形成された稜線を、例えば、容易に落とすことができるチャコールペン等により擦って石器Ａの表面色とは異なる色（白又は黒等）を付着させればよい。
【００１３】
一方、スケール４を用意し、図２に示すように、テーブルＴの上にスケール４を置いて、上方からビデオ用カメラ２により撮像する（ステップＳ１）。この場合、テーブルＴの上面が単色面３となる。これにより、ビデオ用カメラ２から画像データがコンピュータ５に取り込まれる。また、スケール４は、ディスプレイ６に表示されるため、図３に示すディスプレイ６に表示されたスケール４から石器Ａの長さを計測するための基準長さデータを設定する（ステップＳ２）。この場合、例えば、コンピュータ５で１０〔ｃｍ〕を基準長さとして指定し、コンピュータ５に付属するマウスを利用して表示されたスケール４における１０〔ｃｍ〕に対応する二点をクリックすれば、二点間の距離が基準長さデータ（１０〔ｃｍ〕）として設定される。
【００１４】
次いで、図２に示す単色面３の上に、正面を上にした石器Ａを置くことにより、上方からビデオ用カメラ２により撮像する（ステップＳ３）。これにより、ビデオ用カメラ２から画像データがコンピュータ５に取り込まれる。また、図４に示すように、画像データはディスプレイ６に表示されるため、表示された石器Ａ（正面図）をトリミングするとともに、さらに、石器Ａの画像データのみを抽出して基礎データＤａを得る（ステップＳ４）。この場合、基礎データＤａの抽出は、単色面３と同色のデータを除去し又は単色面３と石器Ａの境界Ｓを識別して行う。抽出処理は、ディスプレイ６及び実物の石器Ａを見ながら行い、正確に抽出できないときは、必要により、部分的な拡大を行ったり、コントラストを変更して抽出する。そして、抽出した基礎データＤａ（平面図）はコンピュータ５に登録する。
【００１５】
また、石器Ａを裏返し、背面を上にして置くことにより、上方からビデオ用カメラ２により撮像する（ステップＳ５）。これにより、図５に示すように、ディスプレイ６には画像データが表示されるため、上記同様に、ディスプレイ６に表示された石器Ａ（背面図）をトリミングするとともに、さらに、石器Ａの画像データのみを抽出して基礎データＤｂを得る（ステップＳ６）。そして、抽出した基礎データＤｂ（背面図）はコンピュータ５に登録する。
【００１６】
他方、ビデオ用カメラ２をテーブルＴの横方に移動させ、石器Ａの側面を撮像できるようにセッティングするとともに、図６に示すように、石器Ａの隣にスケール４を鉛直方向に立てる。これにより、ビデオ用カメラ２から石器Ａの側面を見た際に、テーブルＴの側面と衝立Ｍが単色面３となる。そして、石器Ａ及びスケール４を、横方からビデオ用カメラ２により一緒に撮像する（ステップＳ７）。これにより、ビデオ用カメラ２から画像データとしてコンピュータ５に取り込まれ、ディスプレイ６に表示される。また、上記同様に、図６に示すディスプレイ６に表示されたスケール４から石器Ａ（側面図）の長さを計測するための基準長さデータを設定する（ステップＳ８）。なお、実施例では、石器Ａの側面とスケール４を一緒に撮像したが、前述したステップＳ１とステップＳ３のように別々に撮像してもよいし、この場合のスケール４は無くてもよい。さらに、上記同様、表示された石器Ａ（側面図）をトリミングするとともに、石器Ａの画像データのみを抽出して基礎データＤｃを得る（ステップＳ９）。そして、抽出した基礎データＤｃ（側面図）はコンピュータ５に登録する。
【００１７】
一方、コンピュータ５では、基礎データＤａ，Ｄｂ，Ｄｃと基準長さデータから自動で石器Ａの寸法を計測する（ステップＳ１０）。計測した寸法はデータベースとしてコンピュータ５のメモリに登録される。
【００１８】
また、石器Ａに係わる基礎データＤａ（正面図），基礎データＤｂ（背面図）及び基礎データＤｃ（側面図）は、ディスプレイ６に同時に表示される。この場合、各図は、予め定められた位置関係により表示される。各図の位置関係は図７に示すようになる。そして、表示された正面図，背面図及び側面図に対する細部のレイアウト処理、例えば、向きの修正や対称性の修正等を行うとともに、サイズに対する必要な変更処理を行う（ステップＳ１１）。なお、必要により、各種オプション処理、例えば、自動で表計算ソフトウェアへのデータ（幅，長さ，厚さ）の張り付けを行う処理或いは断面作成用枠の表示処理等を行わせることができる。
【００１９】
以上により、データ作成システム１を用いた石器データの作成が終了する。一方、石器データ、即ち、石器Ａの正面図，背面図及び側面図は、プリンタ１２からプリントアウトすることができる（ステップＳ１２）。プリントアウトした用紙は、例えば、属性を表示して属性カードとして利用できるとともに、実測図を作成するための補助図として利用できる。なお、補助図として利用する場合には、プリントアウトした用紙の上にトレーシングペーパを置き、必要なリング（ＲＩＮＧ）Ｌ…（図７参照）を入れることにより実測図を作成することができる（ステップＳｒ）。リングＬ…を入れる実測図の作成作業は、高度の専門性とノウハウが要求されるため、コンピュータシステム１０を用いた作成は困難であり、この段階では手作業で行う。図７は作成された実測図を示す。
【００２０】
以上、実施例について詳細に説明したが、本発明はこのような実施例に限定されるものではなく、細部の構成，用具，手法等において、本発明の要旨を逸脱しない範囲で任意に変更，追加，削除することができる。例えば、基礎データとして、正面図，背面図及び側面図（片側側面図）を例示したが、両側面図，平面図，底面図も同様の基礎データとして作成できる。
【００２１】
【発明の効果】
このように、本発明に係る石器のデータ作成方法は、予め実測図の作成に必要なマーキングを石器に施すとともに、単色面上の石器とスケールを、撮像位置を固定したビデオ用カメラにより撮像し、撮像した画像データをコンピュータに取り込むとともに、ディスプレイに表示されたスケールから石器の寸法を計測するための基準長さデータを設定し、かつ単色面と同色のデータを除去し又は単色面と石器の境界を識別することにより石器の画像データのみを抽出して基礎データを得、この基礎データと基準長さデータから石器の寸法を計測するとともに、基礎データを処理することにより石器データを作成するようにしたため、次のような顕著な効果を奏する。
【００２２】
（１）  専門的な知識とノウハウを伴う石器データを作成する際における作成作業の飛躍的な効率化を図ることができる。
【００２３】
（２）  手作業が介在する作業工程を大幅に削減できるため、実測図を作成する際の正確性、さらには高い作成品質を確保できる。
【００２４】
（３）  石器データをデータベース化できるため、属性カードの作成や統計等を容易に行うことができるなど、データの多様性及び発展性を高めることができる。
【図面の簡単な説明】
【図１】本発明の好適な実施例に係る石器のデータ作成方法の処理を順を追って示すフローチャート、
【図２】同データ作成方法を実施できるデータ作成システムのブロック構成図、
【図３】同データ作成方法を実施した際におけるディスプレイの表示図、
【図４】同データ作成方法を実施した際におけるディスプレイの他の表示図、
【図５】同データ作成方法を実施した際におけるディスプレイの他の表示図、
【図６】同データ作成方法を実施した際におけるディスプレイの他の表示図、
【図７】同データ作成方法を利用して作成した石器の実測図、
【符号の説明】
２    ビデオ用カメラ
３    単色面
４    スケール
５    コンピュータ
６    ディスプレイ
７…  マーキング
Ａ    石器
Ｄａ  基礎データ（正面図）
Ｄｂ  基礎データ（背面図）
Ｄｃ  基礎データ（側面図）
Ｓ    境界
【図１】
0003607546.tif 000002
【図２】
0003607546.tif 000003
【図３】
0003607546.tif 000004
【図４】
0003607546.tif 000005
【図５】
0003607546.tif 000006
【図６】
0003607546.tif 000007
【図７】
0003607546.tif 000008